(57)【要約】【課題】表示情報の表示、及び操作を行いやすくすることができることを目的とする。【解決手段】物体識別装置と、動作識別装置と、情報処理装置と、表示装置と、を有する情報システムで、物体を識別する物体識別データを取得し、人の動作を識別するための動作データを生成し、表示する情報である表示情報を記憶し、前記表示情報記憶で記憶されている前記表示情報を前記物体識別データに基づいて選択し、選択した表示情報を前記動作データに基づいて所定の処理を行い、前記所定の処理を行った表示情報を表示することで上記課題を解決する。【選択図】図１
2015200960.tif 000002
【特許請求の範囲】
【請求項１】
物体識別装置と、動作識別装置と、情報処理装置と、表示装置と、を有する情報システムであって、
前記物体識別装置は、
物体を識別する物体識別データを取得する取得手段を有し、
前記動作識別装置は、
人の動作を識別するための動作データを生成する生成手段を有し、
前記情報処理装置は、
前記表示装置が表示する情報である表示情報を記憶する表示情報記憶手段と、
前記表示情報記憶手段に記憶されている前記表示情報を前記物体識別データに基づいて選択する選択手段と、
前記選択手段が選択した表示情報を前記動作データに基づいて所定の処理を行う表示情報処理手段と、を有し、
前記表示装置は、
前記表示情報処理手段が前記所定の処理を行った表示情報を表示する表示手段を有する情報システム。
【請求項２】
前記物体は、ＩＣタグを有し、
前記取得手段は、
前記ＩＣタグの前記物体識別データを取得する請求項１に記載の情報システム。
【請求項３】
前記動作識別装置は、
複数の撮影手段を有する請求項１又は２に記載の情報システム。
【請求項４】
前記所定の処理は、
前記表示情報の拡大、縮小、画面の切り替え、及び音声に係る処理の少なくともいずれかを実行する処理である請求項１乃至３のいずれかに記載の情報システム。
【請求項５】
前記表示装置は、
表示面に対して背面から前記表示情報を表示する請求項１乃至４のいずれかに記載の情報システム。
【請求項６】
物体識別装置と、動作識別装置と、情報処理装置と、表示装置と、を有する情報システムに実行させる情報処理方法であって、
前記物体識別装置に、
物体を識別する物体識別データを取得させる取得手順を実行させ、
前記動作識別装置に、
人の動作を識別するための動作データを生成させる生成手順を実行させ、
前記情報処理装置に、
前記表示装置が表示する情報である表示情報を記憶させる表示情報記憶手順と、
前記表示情報記憶手順で記憶されている前記表示情報を前記物体識別データに基づいて選択させる選択手順と、
前記選択手順で選択した表示情報を前記動作データに基づいて所定の処理を行わせる表示情報処理手順と、を実行させ、
前記表示装置に、
前記表示情報処理手順で前記所定の処理を行った表示情報を表示させる表示手順を実行させる情報処理方法。
【請求項７】
物体識別装置と、動作識別装置と、情報処理装置と、表示装置と、を有する情報システムに実行させるためのプログラムであって、
前記物体識別装置に、
物体を識別する物体識別データを取得させる取得手順を実行させ、
前記動作識別装置に、
人の動作を識別するための動作データを生成させる生成手順を実行させ、
前記情報処理装置に、
前記表示装置が表示する情報である表示情報を記憶させる表示情報記憶手順と、
前記表示情報記憶手順で記憶されている前記表示情報を前記物体識別データに基づいて選択させる選択手順と、
前記選択手順で選択した表示情報を前記動作データに基づいて所定の処理を行わせる表示情報処理手順と、を実行させ、
前記表示装置に、
前記表示情報処理手順で前記所定の処理を行った表示情報を表示させる表示手順を実行させるためのプログラム。
【請求項８】
１以上の情報処理装置を有する情報システムであって、
物体を識別する物体識別データを取得する取得手段と、
人の動作を識別するための動作データを生成する生成手段と、
表示する情報である表示情報を記憶する表示情報記憶手段と、
前記表示情報記憶手段に記憶されている前記表示情報を前記物体識別データに基づいて選択する選択手段と、
前記選択手段が選択した表示情報を前記動作データに基づいて所定の処理を行う表示情報処理手段と、
前記表示情報処理手段が前記所定の処理を行った表示情報を表示する表示手段を有する情報システム。
【発明の詳細な説明】
【技術分野】
【０００１】
本発明は、情報システム、情報処理方法、及びプログラムに関する。
【背景技術】
【０００２】
従来、オブジェクトに付されたＩＤ（Ｉｄｅｎｔｉｆｉｃａｔｉｏｎ）、及びオブジェクトの動作からコンテンツ情報の制御を行う方法が知られている（例えば特許文献１）。
【発明の概要】
【発明が解決しようとする課題】
【０００３】
しかしながら、従来の方法では、操作者のジェスチャー（Ｇｅｓｔｕｒｅ）などを用いなかったため、表示情報の表示、及び操作を行いにくい場合があった。
【０００４】
本発明の１つの側面は、表示情報の表示、及び操作を行いやすくすることを目的とする。
【課題を解決するための手段】
【０００５】
一態様における、物体識別装置と、動作識別装置と、情報処理装置と、表示装置と、を有する情報システムであって、前記物体識別装置は、物体を識別する物体識別データを取得する取得手段を有し、前記動作識別装置は、人の動作を識別するための動作データを生成する生成手段を有し、前記情報処理装置は、前記表示装置が表示する情報である表示情報を記憶する表示情報記憶手段と、前記表示情報記憶手段に記憶されている前記表示情報を前記物体識別データに基づいて選択する選択手段と、前記選択手段が選択した表示情報を前記動作データに基づいて所定の処理を行う表示情報処理手段と、を有し、前記表示装置は、前記表示情報処理手段が前記所定の処理を行った表示情報を表示する表示手段を有することを特徴とする。
【発明の効果】
【０００６】
表示情報の表示、及び操作を行いやすくすることができる。
【図面の簡単な説明】
【０００７】
【図１】本発明の一実施形態に係る情報システムの全体構成の一例を説明する概念図である。
【図２】本発明の一実施形態に係る情報システムのハードウェア構成の一例を説明するブロック図である。
【図３】本発明の一実施形態に係る情報システムによる全体処理の一例を説明するシーケンス図である。
【図４】本発明の一実施形態に係る情報システムの各装置による全体処理の一例を説明するフローチャートである。
【図５】本発明の一実施形態に係る情報システムのＰＣによる表示情報を選択する処理の一例を説明する表である。
【図６】本発明の一実施形態に係る情報システムのＰＣによる所定の処理の一例を説明する表である。
【図７】本発明の一実施形態に係るモーションセンサ、及び動作データに係る処理の一例を説明する図である。
【図８】本発明の一実施形態に係る表示における位置関係の一例を説明する図である。
【図９】本発明の一実施形態に係る情報システムの機能構成の一例を説明する機能ブロック図である。
【発明を実施するための形態】
【０００８】
＜第１実施形態＞
＜システム構成＞
情報システム１は、例えばいわゆるショールームなどで商品の展示を行う場合に用いられる。以下、情報システム１がショールームで用いられる場合を例に説明する。
【０００９】
図１は、本発明の一実施形態に係る情報システムの全体構成の一例を説明する概念図である。以下、図１に示す情報システム１を例に説明する。
【００１０】
情報システム１は、受信機１１と、ＰＣ（Ｐｅｒｓｏｎａｌ  Ｃｏｍｐｕｔｅｒ）１２と、モーションセンサ１３と、プロジェクタ１４と、を有する。
【００１１】
図１は、商品２を展示する場合を例に説明している図である。
【００１２】
商品２は、ＮＦＣ（Ｎｅａｒ  Ｆｉｅｌｄ  Ｃｏｍｍｕｎｉｃａｔｉｏｎ）タグ２１を有する。
【００１３】
物体識別装置は、例えば受信機１１である。以下、受信機１１を例に説明する。受信機１１は、商品２のＮＦＣタグ２１から商品２を識別するための物体データを取得する。
【００１４】
ＰＣ１２は、受信機１１から物体識別データを取得し、物体識別データに基づいてカタログなどの表示情報を対応させる。物体識別データは、例えばＮＦＣタグＩＤである。以下、ＮＦＣタグＩＤを例に説明する。
【００１５】
情報処理装置は、例えばＰＣ１２である。以下、ＰＣ１２を例に説明する。ＰＣ１２は、モーションセンサ１３から操作者のジェスチャーなどの動作データを取得する。ＰＣ１２は、取得した動作データに基づいて表示情報に対して所定の処理を行う。
【００１６】
動作識別装置は、例えばモーションセンサ１３である。以下、モーションセンサ１３を例に説明する。モーションセンサ１３は、操作者４のジェスチャーなど人の動作を検出し、動作データを生成する。モーションセンサの詳細は、後述する。
【００１７】
表示装置は、例えばプロジェクタ１４である。以下、プロジェクタ１４を例に説明する。プロジェクタ１４は、ＰＣ１２から取得した表示情報をスクリーン３に表示する。
【００１８】
＜ハードウェア構成＞
図２は、本発明の一実施形態に係る情報システムのハードウェア構成の一例を説明するブロック図である。
【００１９】
受信機１１は、アンテナ１１Ｈ１と、出力Ｉ／Ｆ（ｉｎｔｅｒｆａｃｅ）１１Ｈ２と、を有する。
【００２０】
アンテナ１１Ｈ１は、商品２のＮＦＣタグ２１から無線で電波を受信する。
【００２１】
出力Ｉ／Ｆ１１Ｈ２は、受信機１１からデータを出力するためのインタフェースである。出力Ｉ／Ｆ１１Ｈ２は、例えばコネクタ、ケーブル、及びドライバなどで構成される。
【００２２】
ＰＣ１２は、ＣＰＵ（Ｃｅｎｔｒａｌ  Ｐｒｏｃｅｓｓｉｎｇ  Ｕｎｉｔ）１２Ｈ１と、記憶装置１２Ｈ２と、出力Ｉ／Ｆ１２Ｈ３と、入力Ｉ／Ｆ１２Ｈ４と、を有する。
【００２３】
ＣＰＵ１２Ｈ１は、ＰＣ１２の行う処理に係る演算、及びＰＣ１２の有する各装置を制御する。
【００２４】
記憶装置１２Ｈ２は、データを記憶する。記憶装置１２Ｈ２は、主記憶装置と、補助記憶装置と、で構成される。主記憶装置は、いわゆるメモリである。補助記憶装置は、例えばハードディスクなどである。
【００２５】
出力Ｉ／Ｆ１２Ｈ３は、ＰＣ１２からデータを出力するためのインタフェースである。出力Ｉ／Ｆ１２Ｈ３は、例えばコネクタ、ケーブル、及びドライバなどで構成される。
【００２６】
入力Ｉ／Ｆ１２Ｈ４は、ＰＣ１２にデータを入力するためのインタフェースである。入力Ｉ／Ｆ１２Ｈ４は、例えばコネクタ、ケーブル、及びドライバなどで構成される。
【００２７】
モーションセンサ１３は、センサ１３Ｈ１と、出力Ｉ／Ｆ１３Ｈ２と、を有する。
【００２８】
センサ１３Ｈ１は、操作者４のジェスチャーなどを検出する。センサ１３Ｈ１は、例えば複数のカメラを用いる装置、いわゆるステレオカメラなどである。
【００２９】
出力Ｉ／Ｆ１３Ｈ２は、モーションセンサ１３からデータを出力するためのインタフェースである。出力Ｉ／Ｆ１３Ｈ２は、例えばコネクタ、ケーブル、及びドライバなどで構成される。
【００３０】
プロジェクタ１４は、出力装置１４Ｈ１と、入力Ｉ／Ｆ１４Ｈ２と、を有する。
【００３１】
出力装置１４Ｈ１は、スクリーン３などに画像を投影する。
【００３２】
入力Ｉ／Ｆ１４Ｈ２は、プロジェクタ１４にデータを入力するためのインタフェースである。入力Ｉ／Ｆ１４Ｈ２は、例えばコネクタ、ケーブル、及びドライバなどで構成される。
【００３３】
なお、ハードウェア構成は、図２に示した構成に限られない。例えばハードウェア構成は、ネットワークを介して別の情報処理装置が接続されている構成でもよい。
【００３４】
また、商品２は、実物に限られない。商品２は、実物に代えてＮＦＣタグ２１を有した模型、代替品、又は見本などでもよい。
【００３５】
情報システム１は、受信機１１、ＰＣ１２、モーションセンサ１３、及びプロジェクタ１４で構成することで、低コストにシステムを構築できる。情報システム１は、受信機１１、ＰＣ１２、モーションセンサ１３、及びプロジェクタ１４で構成することで、可搬性よくシステムを構築できる。
【００３６】
＜全体処理＞
図３は、本発明の一実施形態に係る情報システムによる全体処理の一例を説明するシーケンス図である。
【００３７】
ステップＳ０３０１では、受信機１１は、商品２のＮＦＣタグからＮＦＣタグＩＤのデータを取得する処理を行う。
【００３８】
ステップＳ０３０２では、ＰＣ１２は、ステップＳ０３０１で受信機１１が取得したＮＦＣタグＩＤのデータを取得する処理を行う。
【００３９】
ステップＳ０３０３では、ＰＣ１２は、ステップＳ０３０２で取得したＮＦＣタグＩＤに基づいてプロジェクタ１４が表示する表示情報を選択する処理を行う。ステップＳ０３０３の処理の詳細は、後述する。
【００４０】
ステップＳ０３０４では、モーションセンサ１３は、操作者のジェスチャーによる人の動作を検出し、動作データを生成する処理を行う。動作データは、例えば被写体の座標データなどである。以下、動作データが被写体の座標データの場合を例に説明する。
【００４１】
ステップＳ０３０５では、ＰＣ１２は、ステップＳ０３０４で生成された動作データを取得する処理を行う。
【００４２】
ステップＳ０３０６では、ＰＣ１２は、ステップＳ０３０３で選択された表示情報に対して所定の処理を行う。ステップＳ０３０６の処理の詳細は、後述する。
【００４３】
ステップＳ０３０７では、ＰＣ１２は、プロジェクタ１４にステップＳ０３０６で所定の処理を行った表示情報を出力する処理を行う。
【００４４】
ステップＳ０３０８では、プロジェクタ１４は、表示情報を表示する処理を行う。
【００４５】
図４は、本発明の一実施形態に係る情報システムの各装置による全体処理の一例を説明するフローチャートである。
【００４６】
図４（Ａ）は、本発明の一実施形態に係る情報システムの受信機による全体処理の一例を説明するフローチャートである。
【００４７】
ステップＳ０４Ａ０１では、受信機１１は、商品２のＮＦＣタグからＮＦＣタグＩＤのデータを取得する処理を行う。ステップＳ０４Ａ０１の処理は、図３のステップＳ０３０１の処理に相当する。
【００４８】
図４（Ｂ）は、本発明の一実施形態に係る情報システムのＰＣによる全体処理の一例を説明するフローチャートである。
【００４９】
ステップＳ０４Ｂ０１では、ＰＣ１２は、受信機１１からＮＦＣタグＩＤのデータを取得する処理を行う。ステップＳ０４Ｂ０１の処理は、図３のステップＳ０３０２の処理に相当する。
【００５０】
ステップＳ０４Ｂ０２では、ＰＣ１２は、ステップＳ０４Ｂ０１で取得したＮＦＣタグＩＤに基づいてプロジェクタ１４が表示する表示情報を選択する処理を行う。ステップＳ０４Ｂ０２の処理は、図３のステップＳ０３０３の処理に相当する。
【００５１】
図５は、本発明の一実施形態に係る情報システムのＰＣによる表示情報を選択する処理の一例を説明する表である。
【００５２】
表示情報選択表５は、ＰＣ１２が表示情報を選択するために用いる対応表である。
【００５３】
「ＮＦＣタグＩＤ」は、受信機１１から取得するＮＦＣタグＩＤのデータに対応する。
【００５４】
「出力ＵＩ（Ｕｓｅｒ  Ｉｎｔｅｒｆａｃｅ、以下ＵＩという。）セット」は、各ＮＦＣタグＩＤに対応するＵＩを定義するためのデータである。
【００５５】
「表示情報」は、ＮＦＣタグＩＤに対応してプロジェクタ１４が表示する表示情報を特定するためのデータである。「表示情報」は、例えば表示情報のファイル名、又は表示情報の記憶されているアドレスなどのデータである。
【００５６】
表示情報選択表５の場合、ＰＣ１２は、ステップＳ０４Ｂ０１で取得したＮＦＣタグＩＤが「Ｔ０００１」の場合、後段のＳ０４Ｂ０５の処理でプロジェクタ１４に「ＳＣ０００１」の表示情報を出力する。
【００５７】
表示情報選択表５の場合、ＰＣ１２は、ステップＳ０４Ｂ０１で取得したＮＦＣタグＩＤが「Ｔ０００１」の場合、後段のＳ０４Ｂ０４の処理で「ＵＩ０００１」に定義された所定の処理を行う。所定の処理の詳細は、後述する。
【００５８】
ステップＳ０４Ｂ０３では、ＰＣ１２は、モーションセンサ１３から動作データを取得する処理を行う。ステップＳ０４Ｂ０３の処理は、図３のステップＳ０３０５の処理に相当する。
【００５９】
ステップＳ０４Ｂ０４では、ＰＣ１２は、動作データに基づいて表示情報に所定の処理を行う。ステップＳ０４Ｂ０４の処理は、図３のステップＳ０３０６の処理に相当する。
【００６０】
図６は、本発明の一実施形態に係る情報システムのＰＣによる所定の処理の一例を説明する表である。
【００６１】
所定の処理定義表６は、所定の処理の内容を定義し、所定の処理に対応する操作者の動作を定義するために用いる表である。
【００６２】
「有効座標範囲」は、モーションセンサ１３がジェスチャーなどを検出する範囲を定義するための座標データである。例えば「有効座標範囲」に表示される画面全体を示す座標値が設定された場合、ＰＣ１２は、画面のいずれの箇所で行われたジェスチャーでも所定の処理を行う。なお、「有効座標範囲」のパラメータは、必須ではない。
【００６３】
「動作種類」は、所定の処理に対応した操作者の動作を定義するためのパラメータである。
【００６４】
「所定の処理の内容」は、「動作種類」で定義された動作が入力された際に行うＰＣ１２が行う処理を定義するためのパラメータである。すなわち、所定の処理は、所定の処理定義表６の「所定の処理の内容」に定義された処理である。
【００６５】
例えば動作データの座標データが「有効座標範囲」である（１００，１００）及び（２００，２００）の範囲の値であり、かつ、「通過」の動作が行われた場合、ＰＣ１２は、「Ｔ０００１」の画面を切り替える処理を行う。
【００６６】
「通過」は、操作者の手などが所定の範囲内を移動する動作である。「通過」の場合、動作データは、手と識別した座標が所定の時間内に予め定められた値以上に変化する値となる。すなわち、操作者の手の動作データの座標データが所定の時間内に予め定められた値以上に変化した場合、ＰＣ１２は、「通過」の動作が行われたと識別し、「Ｔ０００１」の画面を切り替える処理を行う。
【００６７】
「ホールド」は、操作者の手などが所定の時間、同じ位置に留まる動作である。「ホールド」の場合、動作データは、手と識別した座標が所定の時間において同じ座標値で一定である。操作者の手の動作データの座標データが所定の時間内で一定の場合、ＰＣ１２は、「ホールド」の動作が行われたと識別し、「Ｔ０００１」の画面を切り替える処理、及び予め設定されている音声データを再生するサウンド実行の処理を行う。
【００６８】
なお、人の動作は、図６で示した種類に限られない。人の動作は、動作データから識別できる操作者の手、又は腕などの他の動作でもよい。
【００６９】
所定の処理定義表６を用いることで、ＰＣ１２は、設定を変更することができ、新しいジェスチャーなどの動作をシステムを設置後も追加、又は変更することができる。
【００７０】
ステップＳ０４Ｂ０５では、ＰＣ１２は、所定の処理を行った表示情報をプロジェクタに出力する処理を行う。ステップＳ０４Ｂ０５の処理は、図３のステップＳ０３０７の処理に相当する。
【００７１】
図４（Ｃ）は、本発明の一実施形態に係る情報システムのモーションセンサによる全体処理の一例を説明するフローチャートである。
【００７２】
ステップＳ０４Ｃ０１では、モーションセンサ１３は、ジェスチャーなどの動作データを生成する処理を行う。ステップＳ０４Ｃ０１の処理は、図３のステップＳ０３０４の処理に相当する。
【００７３】
図４（Ｄ）は、本発明の一実施形態に係る情報システムのプロジェクタによる全体処理の一例を説明するフローチャートである。
【００７４】
ステップＳ０４Ｄ０１では、プロジェクタ１４は、表示情報を表示する処理を行う。ステップＳ０４Ｄ０１の処理は、図３のステップＳ０３０８の処理に相当する。
【００７５】
プロジェクタ１４は、表示情報として商品２に対応するカタログ情報を表示する。以下、カタログ情報を表示する場合を例に説明する。
【００７６】
カタログ情報は、例えば商品２の色などのバリエーション、宣伝、機能、又はスペック（Ｓｐｅｃｉｆｉｃａｔｉｏｎ）など商品２に係る情報を文書、図表、音声、動画、又は画像などで示す情報である。カタログ情報は、商品２のサンプルデータを含んでもよい。サンプルデータは、例えば商品２がカメラの場合、商品２によって撮影された風景の画像データなどである。
【００７７】
カタログ情報は、ドキュメント（Ｄｏｃｕｍｅｎｔ）データ、画像データ、動画データ、又は音声データなどで構成される情報である。カタログ情報は、例えばＰＤＦ（Ｐｏｒｔａｂｌｅ  Ｄｏｃｕｍｅｎｔ  Ｆｏｒｍａｔ）形式、又はＪＰＥＧ（Ｊｏｉｎｔ  Ｐｈｏｔｏｇｒａｐｈｉｃ  Ｅｘｐｏｒｔｓ  Ｇｒｏｕｐ）形式などのファイル形式の情報である。
【００７８】
カタログ情報は、複数のファイル、及び複数のページのデータで構成されてもよい。カタログ情報が複数のファイルで構成された場合、図６で説明した画面を切り替える処理は、現在表示しているファイルから他のファイルを表示、又は再生する処理などである。カタログ情報が複数のページで構成された場合、図６で説明した画面を切り替える処理は、現在表示しているページから他のページを表示するように切り替える処理などである。
【００７９】
なお、表示情報に行われる所定の処理は、上述した処理に限られない。所定の処理は、例えばカタログ情報の表示を拡大、又は縮小する処理でもよい。拡大、及び縮小の処理によって、操作者４は、情報システム１の設置の際、又は設置後に表示情報が表示される位置、大きさ、又は範囲を変更することができる。ショールームなどでは、テーブルの大きさなど展示スペースに制限があるため、商品の入れ替えなどで大きさが合わない場合がある。情報システム１は、表示情報の拡大、及び縮小の処理によって、設置範囲の調整を行うことができる。すなわち、拡大、及び縮小の処理によって、情報システム１は、高い設置性を実現できる。
【００８０】
なお、実施形態は、図３、及び図４で示した装置が処理する場合に限られない。各処理は、並列、冗長、又は分散して処理するために、各装置が複数のＣＰＵ、専用のデバイス、又は複数のコア（ｃｏｒｅ）のＣＰＵを有してもよい。また、各処理を並列、冗長、又は分散して処理するために、処理の一部又は全部は、ネットワークを介して接続される別の情報処理装置に処理させる構成であってもよい。
【００８１】
＜モーションセンサ、及び動作データ＞
図７は、本発明の一実施形態に係るモーションセンサ、及び動作データに係る処理の一例を説明する図である。
【００８２】
モーションセンサ１３は、可視光、赤外光、又はこれを組み合わせて物体を識別する。図７は、図１の操作者４の手を識別する場合である。以下、図７の場合を例に説明する。
【００８３】
図７（Ａ）は、本発明の一実施形態に係るモーションセンサによる物体の識別の一例を説明する図である。
【００８４】
モーションセンサ１３は、画角、すなわち認識可能範囲に被写体である操作者４の手があるか否かを識別する。モーションセンサ１３は、識別した操作者４の手の座標値のデータを生成する。
【００８５】
ＰＣ１２は、モーションセンサ１３から取得した座標値のデータに基づいて処理を行う。
【００８６】
図７（Ｂ）は、本発明の一実施形態に係る「有効座標範囲」の一例を説明する図である。
【００８７】
図６で説明したように、ＰＣ１２には、「有効座標範囲」が定義される。ＰＣ１２は、図示するように「有効座標範囲」に対応するの空間内で行われたジェスチャーを識別する。
【００８８】
なお、「有効座標範囲」の範囲内で行われたか否かの判定は、ＰＣ１２が行う構成に限られない。「有効座標範囲」の範囲内で行われたか否かの判定は、ＰＣ１２の処理負担を軽減させるために、モーションセンサ１３が行ってもよい。例えば「有効座標範囲」の上限値、及び下限値をモーションセンサ１３に記憶させ、モーションセンサ１３は、生成した座標値のデータが「有効座標範囲」の範囲内で行われたか否かの判定を行う。生成した座標値のデータが「有効座標範囲」の範囲内で行われた場合、モーションセンサ１３は、生成した座標値のデータをＰＣ１２に出力する。生成した座標値のデータが「有効座標範囲」の範囲内で行われていない場合、モーションセンサ１３は、生成した座標値のデータをＰＣ１２に出力しない。
【００８９】
図７（Ｃ）は、本発明の一実施形態に係るジェスチャーの一例を説明する図である。
【００９０】
図７（Ａ）で説明したように、モーションセンサ１３は、識別した操作者４の手の座標値のデータを生成する。図示するように操作者４の手が上下左右に動いた場合、操作者４の手の座標値のデータは、値が変化する。ＰＣ１２は、取得した座標値のデータの変化量からジェスチャーを識別する。
【００９１】
なお、動作データから識別される人の動作は、被写体の移動に基づく動作に限られない。例えばモーションセンサ１３は、操作者４の手の形状、又は指の動きなどに基づいてかざす、つまむ、いわゆるピンチイン（ｐｉｎｃｈ  ｉｎ）、いわゆるピンチアウト（ｐｉｎｃｈ  ｏｕｔ）などを識別してもよい。
【００９２】
なお、モーションセンサ１３は、色などの情報を図２のセンサ１３Ｈ１が取得し、識別に用いてもよい。モーションセンサ１３は、複数のカメラを用いる装置に限られない。例えばモーションセンサ１３は、パターンマッチングなどで物体を識別する機能を有する単眼のカメラ、又は赤外線センサなどでもよい。
【００９３】
モーションセンサ１３を用いることで、情報システム１は、タッチパネルなど入力装置を用いずに操作者４からデータの操作を受け付けることができる。情報システム１は、モーションセンサ１３によって操作者４が触れることなく操作できるため、指紋の付着などを少なくすることができ、清潔を保つことができる。
【００９４】
モーションセンサ１３を用いることで、情報システム１は、操作者４にジェスチャーなどによる直観的な動作で表示情報を操作させることができる。直観的な動作による操作であるため、操作者４は、操作について事前にマニュアルを熟読するなどの準備が少なくなる。したがって、モーションセンサ１３を用いることで、情報システム１は、ショールームの来客などが操作者４となって操作を行わせることができる。
【００９５】
＜表示における位置関係＞
図８は、本発明の一実施形態に係る表示における位置関係の一例を説明する図である。
【００９６】
情報システム１は、図８（Ａ）のように、プロジェクタ１４が表示面７に対して背面からカタログ情報を表示する、いわゆるリアプロジェクション（Ｒｅａｒ  Ｐｒｏｊｅｃｔｉｏｎ）方式が望ましい。
【００９７】
表示面７は、いわゆるリアプロジェクションフィルム、又は透過型スクリーンなどである。
【００９８】
プロジェクタ１４、操作者４、及び表示面７の位置関係は、例えば図８（Ａ）のように表示面７を挟んでプロジェクタ１４と、操作者４と、が正対する位置関係である。
【００９９】
図８（Ａ）の位置関係であることによって、操作者４の表示されているカタログ情報に対して行うジェスチャーがプロジェクタ１４の表示を遮ることが少なくなる。したがって、情報システム１は、表示面７に対して背面からカタログ情報を表示することによって表示に操作者４の影の写り込みを少なくすることができる。
【０１００】
なお、表示における位置関係は、図８（Ａ）の場合に限られない。例えば図８（Ｂ）に示すプロジェクタ１４、操作者４、及び表示面７の位置関係であってもよい。図８（Ｂ）で図示するように、プロジェクタ１４は、操作者４に対して床面の方向から表示する位置関係であってもよい。なお、図８（Ｂ）の構成で鏡は、必須の構成ではない。
【０１０１】
＜機能構成＞
図９は、本発明の一実施形態に係る情報システムの機能構成の一例を説明する機能ブロック図である。
【０１０２】
情報システム１は、受信部１Ｆ１と、物体識別データ取得部１Ｆ２と、動作データ生成部１Ｆ３と、表示情報選択部１Ｆ４と、表示情報処理部１Ｆ５と、表示部１Ｆ６と、記憶部１Ｆ７と、を有する。
【０１０３】
受信部１Ｆ１は、商品２のＮＦＣタグ２１から物体識別データを受信する。受信部１Ｆ１は、例えば図２の受信機１１のアンテナ１１Ｈ１などによって実現される。
【０１０４】
物体識別データ取得部１Ｆ２は、受信部１Ｆ１からＰＣ１２が商品２を識別するための物体識別データを取得する。物体識別データ取得部１Ｆ２は、例えば図２の受信機１１の出力Ｉ／Ｆ１１Ｈ２、及びＰＣ１２の入力Ｉ／Ｆ１２Ｈ４などによって実現される。
【０１０５】
動作データ生成部１Ｆ３は、操作者４のジェスチャーなどの動作を識別するための動作データを生成する。動作データ生成部１Ｆ３は、例えば図２のモーションセンサ１３のセンサ１３Ｈ１などによって実現される。
【０１０６】
表示情報選択部１Ｆ４は、物体識別データに基づいて表示情報記憶部１Ｆ７１に記憶されている表示情報を選択する。すなわち、表示情報選択部１Ｆ４は、図５で説明した処理を行う。表示情報選択部１Ｆ４は、例えば図２のＣＰＵ１２Ｈ１などによって実現される。
【０１０７】
表示情報処理部１Ｆ５は、表示情報選択部１Ｆ４が選択した表示情報に対して動作データに基づいて所定の処理を行う。すなわち、表示情報処理部１Ｆ５は、図６で説明した処理を行う。表示情報処理部１Ｆ５は、例えば図２のＣＰＵ１２Ｈ１などによって実現される。
【０１０８】
表示部１Ｆ６は、表示情報処理部１Ｆ５が所定の処理を行った表示情報を表示する。表示部１Ｆ６は、例えば図２のプロジェクタ１４の出力装置１４Ｈ１などによって実現される。
【０１０９】
記憶部１Ｆ７は、各種データを記憶する。記憶部１Ｆ７は、例えば図２のＰＣ１２の記憶装置１２Ｈ２などによって実現される。記憶部１Ｆ７は、表示情報記憶部１Ｆ７１と、選択情報記憶部１Ｆ７２と、定義情報記憶部１Ｆ７３と、を有する。
【０１１０】
表示情報記憶部１Ｆ７１は、プロジェクタ１４に表示させるカタログ情報などを記憶する。
【０１１１】
選択情報記憶部１Ｆ７２は、表示情報選択部１Ｆ４が表示情報記憶部１Ｆ７１に記憶されている表示情報を選択するためのデータを記憶する。選択情報記憶部１Ｆ７２が記憶するデータは、例えば図５の表示情報選択表５に係るデータである。
【０１１２】
定義情報記憶部１Ｆ７３は、表示情報処理部１Ｆ５が行う所定の処理を定義するためのデータを記憶する。定義情報記憶部１Ｆ７３が記憶するデータは、例えば図６の所定の処理定義表６に係るデータである。
【０１１３】
情報システム１は、商品２から物体識別データを取得し、物体識別データに基づいて表示情報を選択する。したがって、情報システム１は、物体識別データによって、商品２に対応した表示情報を表示することができる。
【０１１４】
情報システム１は、モーションセンサ１３が操作者４のジェスチャーに基づいて動作データを生成し、動作データに基づいて所定の処理を行う。すなわち、情報システム１は、操作者４のジェスチャに基づいて表示情報について拡大、縮小、画面の切り替え、又は音声に係る処理などを行う。よって、情報システム１は、操作者４が直観的な操作であるジェスチャーによって表示情報を操作できるため、操作者４が操作を行いやすくすることができる。
【０１１５】
以上、本発明の好ましい実施例について詳述したが、本発明は係る特定の実施形態に限定されるものではなく、特許請求の範囲に記載された本発明の要旨の範囲内において、種々の変形、変更が可能である。
【符号の説明】
【０１１６】
１  情報システム
１Ｆ１  受信部
１Ｆ２  物体識別データ取得部
１Ｆ３  動作データ生成部
１Ｆ４  表示情報選択部
１Ｆ５  表示情報処理部
１Ｆ６  表示部
１Ｆ７  記憶部
１Ｆ７１  表示情報記憶部
１Ｆ７２  選択情報記憶部
１Ｆ７３  定義情報記憶部
１１  受信機
１１Ｈ１  アンテナ
１１Ｈ２  出力Ｉ／Ｆ
１２  ＰＣ
１２Ｈ１  ＣＰＵ
１２Ｈ２  記憶装置
１２Ｈ３  出力Ｉ／Ｆ
１２Ｈ４  入力Ｉ／Ｆ
１３  モーションセンサ
１３Ｈ１  センサ
１３Ｈ２  出力Ｉ／Ｆ
１４  プロジェクタ
１４Ｈ１  出力装置
１４Ｈ２  入力Ｉ／Ｆ
２  商品
２１  ＮＦＣタグ
３  スクリーン
４  操作者
５  表示情報選択表
６  所定の処理定義表
７  表示面
【先行技術文献】
【特許文献】
【０１１７】
【特許文献１】特開２００７−１３３７０２号公報
【図１】
2015200960.tif 000003
【図２】
2015200960.tif 000004
【図３】
2015200960.tif 000005
【図４】
2015200960.tif 000006
【図５】
2015200960.tif 000007
【図６】
2015200960.tif 000008
【図７】
2015200960.tif 000009
【図８】
2015200960.tif 000010
【図９】
2015200960.tif 000011